(57)【要約】  シリンジポンプシステムは、シリンジポンプと、サーバと、を備えるシリンジポンプシステムであって、前記サーバは、患者を特定するための患者識別子と、前記シリンジポンプを特定するためのポンプ識別子とを取得し、前記患者識別子に基づいて検索した指示オーダを、前記ポンプ識別子によって特定される前記シリンジポンプに送信し、前記シリンジポンプは、前記シリンジポンプに載置されたシリンジから第１薬剤特定情報を読み取り、前記指示オーダに含まれる第２薬剤特定情報と前記第１薬剤特定情報とを照合する。
2019187689.tif 000002
【特許請求の範囲】
【請求項１】
シリンジポンプと、サーバと、を備えるシリンジポンプシステムであって、
前記サーバは、
患者を特定するための患者識別子と、前記シリンジポンプを特定するためのポンプ識別子とを取得し、
前記患者識別子に基づいて検索した指示オーダを、前記ポンプ識別子によって特定される前記シリンジポンプに送信し、
前記シリンジポンプは、
前記シリンジポンプに載置されたシリンジから第１薬剤特定情報を読み取り、
前記指示オーダに含まれる第２薬剤特定情報と前記第１薬剤特定情報とを照合する、シリンジポンプシステム。
【請求項２】
請求項１に記載のシリンジポンプシステムにおいて、
前記シリンジポンプは、
前記第２薬剤特定情報と前記第１薬剤特定情報とが一致すると、前記指示オーダに前記第２薬剤特定情報と紐付けて含まれている薬剤情報を読み込む、シリンジポンプシステム。
【請求項３】
請求項１又は２に記載のシリンジポンプシステムにおいて、
前記サーバは、複数の前記ポンプ識別子を取得すると、該複数の前記ポンプ識別子によって特定される複数の前記シリンジポンプのそれぞれに、前記指示オーダを送信する、シリンジポンプシステム。
【請求項４】
請求項３に記載のシリンジポンプシステムにおいて、
複数の前記シリンジポンプに送信される前記指示オーダは、複数の前記第２薬剤特定情報を含む、シリンジポンプシステム。
【請求項５】
請求項４に記載のシリンジポンプシステムにおいて、
前記シリンジポンプは、
複数の前記第２薬剤特定情報のうち、前記第１薬剤特定情報と一致した前記第２薬剤特定情報と紐付けて前記指示オーダに含まれている薬剤情報を読み込む、シリンジポンプシステム。
【請求項６】
請求項１から５のいずれか一項に記載のシリンジポンプシステムにおいて、
前記シリンジポンプは、前記シリンジポンプに載置されたシリンジから前記第１薬剤特定情報に合わせて第１オーダ番号を読み取り、
前記指示オーダは、前記第２薬剤特定情報に合わせて第２オーダ番号を含み、
前記サーバは、前記第２オーダ番号を前記シリンジポンプに送信し、
前記シリンジポンプは、前記第２薬剤特定情報と前記第１薬剤特定情報とを照合するとともに、前記第２オーダ番号と前記第１オーダ番号とを照合する、シリンジポンプシステム。
【請求項７】
請求項１から６のいずれか一項に記載のシリンジポンプシステムにおいて、
前記患者識別子及び前記ポンプ識別子を読み取り可能なスキャナをさらに備え、
前記サーバは、前記スキャナが読み取った前記患者識別子及び前記ポンプ識別子を取得する、シリンジポンプシステム。
【請求項８】
シリンジに収容された液体を送液することが可能なシリンジポンプであって、
載置された前記シリンジから第１薬剤特定情報を読み取り可能なリーダと、
サーバから、第２薬剤特定情報を含む指示オーダを受信可能な通信部と、
前記第２薬剤特定情報と前記第１薬剤特定情報とを照合する制御部と、を備えるシリンジポンプ。
【発明の詳細な説明】
【技術分野】
【０００１】
本開示は、シリンジポンプシステム及びシリンジポンプに関する。
【背景技術】
【０００２】
薬剤等の液体が収容されたシリンジを載置し、シリンジの押子を押し出す速度を制御することで、流量を制御しながら患者等の生体内に液体を送液するシリンジポンプが知られている（例えば特許文献１参照）。
【先行技術文献】
【特許文献】
【０００３】
【特許文献１】特開２００５−２８７９４４号公報
【発明の概要】
【発明が解決しようとする課題】
【０００４】
シリンジポンプで投与する薬剤は、投与速度を精密に制御して投与することを要求されるものが多い。そのため、本来載置すべきでないシリンジを取り違えてシリンジポンプに載置し、誤った設定で薬剤を投与することを抑制することが求められている。【０００５】
本開示の目的は、上記問題に鑑み、シリンジポンプにシリンジを取り違えて載置することを抑制することができるシリンジポンプシステム及びシリンジポンプを提供することである。
【課題を解決するための手段】
【０００６】
本開示の第１の態様としてのシリンジポンプシステムは、シリンジポンプと、サーバと、を備えるシリンジポンプシステムであって、前記サーバは、患者を特定するための患者識別子と、前記シリンジポンプを特定するためのポンプ識別子とを取得し、前記患者識別子に基づいて検索した指示オーダを、前記ポンプ識別子によって特定される前記シリンジポンプに送信し、前記シリンジポンプは、前記シリンジポンプに載置されたシリンジから第１薬剤特定情報を読み取り、前記指示オーダに含まれる第２薬剤特定情報と前記第１薬剤特定情報とを照合する。【０００７】
本開示の１つの実施形態としてのシリンジポンプシステムは、前記シリンジポンプが、前記第２薬剤特定情報と前記第１薬剤特定情報とが一致すると、前記指示オーダに前記第２薬剤特定情報と紐付けて含まれている薬剤情報を読み込む。【０００８】
本開示の１つの実施形態としてのシリンジポンプシステムは、前記サーバが、複数の前記ポンプ識別子を取得すると、該複数の前記ポンプ識別子によって特定される複数の前記シリンジポンプのそれぞれに、前記指示オーダを送信する。【０００９】
本開示の１つの実施形態としてのシリンジポンプシステムは、複数の前記シリンジポンプに送信される前記指示オーダが、複数の前記第２薬剤特定情報を含む。【００１０】
本開示の１つの実施形態としてのシリンジポンプシステムは、前記シリンジポンプが、複数の前記第２薬剤特定情報のうち、前記第１薬剤特定情報と一致した前記第２薬剤特定情報と紐付けて前記指示オーダに含まれている薬剤情報を読み込む。【００１１】
本開示の１つの実施形態としてのシリンジポンプシステムは、前記シリンジポンプが、前記シリンジポンプに載置されたシリンジから前記第１薬剤特定情報に合わせて第１オーダ番号を読み取り、前記指示オーダが、前記第２薬剤特定情報に合わせて第２オーダ番号を含み、前記サーバが、前記第２オーダ番号を前記シリンジポンプに送信し、前記シリンジポンプが、前記第２薬剤特定情報と前記第１薬剤特定情報とを照合するとともに、前記第２オーダ番号と前記第１オーダ番号とを照合する。【００１２】
本開示の１つの実施形態としてのシリンジポンプシステムは、前記患者識別子及び前記ポンプ識別子を読み取り可能なスキャナをさらに備え、前記サーバが、前記スキャナが読み取った前記患者識別子及び前記ポンプ識別子を取得する。【００１３】
本開示の第２の態様としてのシリンジポンプは、シリンジに収容された液体を送液することが可能なシリンジポンプであって、載置された前記シリンジから第１薬剤特定情報を読み取り可能なリーダと、サーバから、第２薬剤特定情報を含む指示オーダを受信可能な通信部と、前記第２薬剤特定情報と前記第１薬剤特定情報とを照合する制御部と、を備える。
【発明の効果】
【００１４】
本開示のシリンジポンプシステム及びシリンジポンプによると、シリンジポンプにシリンジを取り違えて載置することを抑制することができる。
【図面の簡単な説明】
【００１５】
【図１】本開示の第１実施形態としてのシリンジポンプシステムの概略構成図である。
【図２】図１に示すサーバの概略構成図である。
【図３】図１に示すシリンジポンプの正面図である。
【図４】シリンジを載置した状態の図３に示すシリンジポンプの正面図である。
【図５】図１及び図４に示すシリンジの外観斜視図である。
【図６】図５に示す通信器の概略構成図である。
【図７】図１、図３及び図４に示すシリンジポンプのブロック図である。
【図８】本開示の第１実施形態としてのシリンジポンプシステムが行う処理の一例を示すシーケンス図である。
【図９】指示オーダの一例を示す図である。
【図１０】本開示の第２実施形態としてのシリンジポンプシステムの概略構成図である。
【図１１】本開示の第２実施形態としてのシリンジポンプシステムが行う処理の一例を示すシーケンス図である。
【図１２】指示オーダの一例を示す図である。
【発明を実施するための形態】
【００１６】
以下、本開示の実施形態について、図面を参照して説明する。各図において共通の構成部には、同一の符号を付している。
【００１７】
（第１実施形態）
図１は、本開示の第１実施形態としてのシリンジポンプシステム１の概略構成図である。シリンジポンプシステム１は、シリンジポンプ１００と、シリンジ２００と、サーバ３００と、スキャナ４００と、第１電子機器５００と、第２電子機器６００とを備える。
【００１８】
シリンジポンプ１００は、シリンジ２００を載置することができる。シリンジポンプ１００は、シリンジポンプ１００に載置されたシリンジ２００に収容されている薬剤を患者２０に投与することができる。
【００１９】
シリンジ２００は、表面に貼り付けられた通信器２５０を備える。通信器２５０は、例えばＲＦタグである。シリンジポンプ１００と、通信器２５０とは、例えばＮＦＣ（NearField Communication）のような、到達距離の短い無線通信によって通信を行うことができる。
【００２０】
シリンジポンプ１００と通信器２５０との間の無線通信は到達距離が短いため、シリンジ２００がシリンジポンプ１００に載置されているときは通信可能であるが、シリンジ２００がシリンジポンプ１００から所定の距離以上離れているときは、シリンジポンプ１００は、通信器２５０と通信することができない。これにより、シリンジポンプ１００は、シリンジポンプ１００に載置されていないシリンジ２００に貼り付けられた通信器２５０からデータを読み取ることを抑制することができる。
【００２１】
通信器２５０は、シリンジ２００に収容されている薬剤に対応する薬剤特定情報を含むデータセットを記憶している。薬剤特定情報は、例えば薬剤コードであってよい。薬剤コードには、例えば、１３桁の管理番号からなる所謂ＨＯＴコードなどがある。
【００２２】
シリンジポンプ１００は、載置されたシリンジ２００に貼り付けられている通信器２５０と通信することにより、載置されたシリンジ２００に収容されている薬剤に対応する薬剤特定情報を読み取ることができる。
【００２３】
サーバ３００は、シリンジポンプ１００、第１電子機器５００及び第２電子機器６００のそれぞれと、有線通信又は無線通信によって通信を行うことができる。無線通信の規格は任意の規格であってよいが、例えば無線ＬＡＮであってよい。サーバ３００は、図２に示すように、通信部３０１と、記憶部３０２と、制御部３０３と、を備えている。
【００２４】
通信部３０１は、無線通信又は有線通信により、シリンジポンプ１００、第１電子機器５００及び第２電子機器６００との間で情報の送受信を行うインターフェースを含む。
【００２５】
記憶部３０２は、例えば半導体メモリ及び磁気メモリ等の記憶装置を含んで構成されてよい。
【００２６】
制御部３０３は、例えば記憶部３０２に記憶された特定の情報及びプログラムを読み込むことにより特定の機能を実現するプロセッサを含み、サーバ３００全体の動作を制御する。
【００２７】
サーバ３００が行う処理の詳細については後述する。再び図１を参照して、シリンジポンプシステム１の説明を続ける。
【００２８】
スキャナ４００は、看護師１０を特定するための看護師識別子（以後「看護師ＩＤ」とも称する）を読み取ることができる。スキャナ４００は、例えば、看護師１０が身につけているネームプレートに貼り付けられているバーコードを読み取ることにより、看護師１０から看護師ＩＤを読み取ることができる。
【００２９】
スキャナ４００は、患者２０を特定するための患者識別子（以後「患者ＩＤ」とも称する）を読み取ることができる。スキャナ４００は、例えば、患者２０が手首に巻いているリストバンドに貼り付けられているバーコードを読み取ることにより、患者２０から患者ＩＤを読み取ることができる。
【００３０】
スキャナ４００は、シリンジポンプ１００を特定するためのポンプ識別子（以後「ポンプＩＤ」とも称する）を読み取ることができる。スキャナ４００は、例えば、シリンジポンプ１００の筐体に貼り付けられているバーコードを読み取ることにより、シリンジポンプ１００からポンプＩＤを読み取ることができる。
【００３１】
スキャナ４００は、例えば看護師１０がスキャナ４００を用いてバーコードを読み取る操作をすることにより、看護師ＩＤ、患者ＩＤ及びポンプＩＤを読み取ることができる。
【００３２】
第１電子機器５００は、例えば、デスクトップパソコン又はノートパソコンなどのような端末であってよい。第１電子機器５００は、通信機能を有し、サーバ３００と有線通信又は無線通信によって通信を行うことができる。
【００３３】
第１電子機器５００は、スキャナ４００と有線通信又は無線通信によって通信を行うことができる。第１電子機器５００は、スキャナ４００が読み取った看護師ＩＤ、患者ＩＤ及びポンプＩＤをスキャナ４００から取得し、サーバ３００に送信する。
【００３４】
第２電子機器６００は、例えば、デスクトップパソコン又はノートパソコンなどのような端末であってよい。第２電子機器６００は、通信機能を有し、サーバ３００と有線通信又は無線通信によって通信を行うことができる。
【００３５】
第２電子機器６００は、例えば医師などの医療従事者から指示オーダの入力を受け付ける。第２電子機器６００は、入力された指示オーダをサーバ３００に送信する。
【００３６】
第２電子機器６００が医師などから入力を受け付ける指示オーダは、シリンジポンプ１００による患者２０への薬剤の投与に関する指示を含む情報である。指示オーダは、少なくとも、患者ＩＤ、オーダ番号、薬剤特定情報及び薬剤情報を含む。オーダ番号は、指示オーダを特定するために、指示オーダごとに付与される番号である。薬剤情報は、薬剤特定情報に紐付けられた情報であり、シリンジポンプ１００によって患者２０に投与する薬剤の設定情報を含む。薬剤情報は、例えば、薬剤の投与速度、及び投与速度の上限値／下限値などの情報を含んでよい。
【００３７】
サーバ３００は、第２電子機器６００から様々な患者２０に対する指示オーダを受信して、記憶部３０２に記憶している。サーバ３００は、スキャナ４００が読み取った看護師ＩＤ、患者ＩＤ及びポンプＩＤを第１電子機器５００から受信して取得すると、患者ＩＤに基づいて、記憶部３０２に記憶された、当該患者ＩＤを含む指示オーダを検索する。
【００３８】
サーバ３００は、第１電子機器５００から取得した患者ＩＤを含む指示オーダを検索し、当該指示オーダを特定すると、当該指示オーダを、第１電子機器５００から取得したポンプＩＤによって特定されるシリンジポンプ１００に送信する。この際、サーバ３００は、第１電子機器５００から取得した看護師ＩＤを、シリンジポンプ１００に送信した指示オーダと紐付けて保存する。これにより、サーバ３００は、送信した指示オーダに基づくシリンジポンプ１００の送液処理を、どの看護師１０が実行したかを記録として残すことができる。
【００３９】
シリンジポンプ１００は、載置されたシリンジ２００に貼り付けられた通信器２５０から薬剤特定情報を読み取ると、当該薬剤特定情報と、サーバ３００から受信した指示オーダに含まれる薬剤特定情報とを照合する。
【００４０】
シリンジポンプ１００は、照合の結果、通信器２５０から読み取った薬剤特定情報と、サーバ３００から受信した指示オーダに含まれる薬剤特定情報とが一致した場合、指示オーダに薬剤特定情報と紐付けて含まれていた薬剤情報を読み込む。シリンジポンプ１００は、読み込んだ薬剤情報に基づいて、薬剤の投与に関する情報を設定する。また、シリンジポンプ１００は、照合の結果、通信器２５０から読み取った薬剤特定情報と、サーバ３００から受信した指示オーダに含まれる薬剤特定情報とが一致した場合、その旨を表示して、所望のシリンジ２００がシリンジポンプ１００に載置されていることを、看護師１０に知らせてよい。
【００４１】
シリンジポンプ１００は、照合の結果、通信器２５０から読み取った薬剤特定情報と、サーバ３００から受信した指示オーダに含まれる薬剤特定情報とが一致しなかった場合、警告を報知して、看護師１０に知らせてよい。
【００４２】
続いて、図３〜図５を参照して、シリンジポンプ１００及びシリンジ２００について説明する。図３は、シリンジポンプ１００の正面図である。図４は、シリンジ２００を載置した状態のシリンジポンプ１００の正面図である。図５は、シリンジ２００の外観斜視図である。図４に示すように、シリンジポンプ１００は、シリンジ２００の中空部２０２に収容された液体を送液するポンプとして構成されている。
【００４３】
図３及び図４に示すように、シリンジポンプ１００は、シリンジ２００を載置可能な載置部１１１を備えている。図４に示すように、載置部１１１に載置可能なシリンジ２００は、内部に中空部２０２を区画する円筒状の外筒２０１と、外筒２０１の基端側から中空部２０２内に挿入され、外筒２０１の内周面の周方向に隙間なく密着しながら外筒２０１の延在方向Ａ（以下、単に「延在方向Ａ」と記載する。）に沿って中空部２０２を移動可能な押子２０５と、を有する。外筒２０１は、基端に外筒フランジ２０３を有し、先端に中空部２０２と外部とを連通する出口孔２０４を区画している。出口孔２０４は、外筒２０１の先端に装着された可撓性を有するチューブ２１０により区画された流路２１１と連通している。押子２０５は、基端に押子フランジ２０６を有する。シリンジ２００の中空部２０２には、薬剤等の液体が収容されている。
【００４４】
図５に示すように、シリンジ２００の外筒２０１には、シリンジ２００に収容されている薬剤に対応するデータセットを記憶している通信器２５０が貼り付けられている。
【００４５】
図６に、通信器２５０の概略構成図を示す。上述のように、通信器２５０は、例えばＲＦタグである。通信器２５０は、通信部２５１と、メモリ２５２とを備える。
【００４６】
通信部２５１は、シリンジポンプ１００と無線通信を行う。通信部２５１は、シリンジポンプ１００と、例えばＮＦＣのような、到達距離の短い無線通信によって通信を行う。
【００４７】
メモリ２５２は、シリンジ２００に収容されている薬剤に対応するデータセットなどの情報を記憶している。メモリ２５２が記憶しているデータセットには、薬剤コードのような薬剤特定情報が含まれている。
【００４８】
通信部２５１は、シリンジポンプ１００から薬剤特定情報の送信要求を受信すると、メモリ２５２に記憶されている薬剤特定情報をシリンジポンプ１００に送信する。
【００４９】
再び図３及び図４を参照して、シリンジポンプ１００の装置構成について説明する。
【００５０】
図４に示すように、載置部１１１は、詳細には、シリンジ２００の外筒２０１を載置可能である。また、図３及び図４に示すように、シリンジポンプ１００は、シリンジ２００の外筒２０１が載置部１１１に載置されると、外筒フランジ２０３の一部を収納して外筒２０１をシリンジポンプ１００に対して延在方向Ａに固定するスリット１１５を備えている。
【００５１】
図３及び図４に示すように、シリンジポンプ１００は、スライダ１１２と、押子固定部１１３とを備えている。スライダ１１２は、載置部１１１に載置されるシリンジ２００の押子２０５と係合するように移動可能である。具体的に、スライダ１１２は、載置部１１１に載置されるシリンジ２００の押子フランジ２０６よりも基端側に位置し、延在方向Ａに沿って移動可能である。押子固定部１１３は、スライダ１１２に取り付けられた押子固定部材により構成されており、載置部１１１に載置されたシリンジ２００の押子２０５をスライダ１１２に固定する。押子固定部１１３は、本実施形態では、載置されたシリンジ２００の押子フランジ２０６を、スライダ１１２との間で挟み込むようにして、スライダ１１２に対して固定することが可能である。押子２０５は、押子固定部１１３により押子フランジ２０６がスライダ１１２に対して固定された状態では、スライダ１１２の延在方向Ａに沿う移動に伴ってスライダ１１２と一体的に移動する。このとき、載置部１１１に載置された外筒２０１は、外筒フランジ２０３の一部がスリット１１５に収納されているため、シリンジポンプ１００に対して延在方向Ａにおいて固定されている。従って、スライダ１１２がシリンジ２００の先端側に移動すると、押子２０５が外筒２０１に対して先端側に移動し、中空部２０２に収容された液体が出口孔２０４から排出される。そのため、中空部２０２に収容された液体を、チューブ２１０に区画された流路２１１を通じて生体内に向かって送液することができる。
【００５２】
図３及び図４に示すように、シリンジポンプ１００は、載置部１１１に載置されたシリンジ２００の外筒２０１を固定する外筒固定部としてのシリンジ用クランプ１１４を備えている。シリンジ用クランプ１１４は、本実施形態では、延在方向Ａに直交する方向Ｂに沿って移動可能であり、載置部１１１に載置されたシリンジ２００の外筒２０１を、載置部１１１との間で挟み込むようにして固定することが可能である。また、シリンジ用クランプ１１４で外筒２０１を固定することで、外筒フランジ２０３の一部がスリット１１５から外れにくくなるため、外筒２０１はシリンジポンプ１００に対して強固に固定される。
【００５３】
図３及び図４に示すように、シリンジポンプ１００は、載置部１１１にシリンジ２００が載置された場合にシリンジ２００の先端側となる位置に、切欠き状のチューブガイド部１１６を備えている。チューブガイド部１１６は、シリンジ２００が載置部１１１に載置された状態で、シリンジ２００の先端に装着されたチューブ２１０を通過させて位置決めするために利用される。
【００５４】
図７は、シリンジポンプ１００のブロック図である。図７に示すように、シリンジポンプ１００は、図３及び図４を参照して上述した載置部１１１、スライダ１１２、押子固定部１１３、シリンジ用クランプ１１４、スリット１１５、及びチューブガイド部１１６に加えて、回路部１２０と、操作入力部１３１と、表示部１３２と、音出力部１３３と、載置検出部１３４と、外筒固定検出部１３５と、スライダ駆動部１３６と、押子固定検出部１３７と、チューブ用クランプ１３８と、リーダ１３９と、を備えている。回路部１２０は、シリンジポンプ１００の内部に位置し、通信部１２１と、計時部１２２と、記憶部１２３と、制御部１２４と、を備えている。
【００５５】
通信部１２１は、無線通信又は有線通信により、サーバ３００との間で情報の送受信を行うインターフェースを含む。通信部１２１は、サーバ３００から指示オーダを受信することができる。
【００５６】
計時部１２２は、時間を測定し、時刻を刻み、例えば、ＲＴＣ（Real Time Clock：リアルタイムクロック）により実現され得る。計時部１２２は、制御部１２４の一機能として実現されてもよい。
【００５７】
記憶部１２３は、例えば半導体メモリ及び磁気メモリ等の記憶装置を含んで構成されてよい。記憶部１２３は、シリンジポンプ１００の動作に必要な種々の情報及びプログラムを記憶する。
【００５８】
制御部１２４は、例えば記憶部１２３に記憶された特定の情報及びプログラムを読み込むことにより特定の機能を実現するプロセッサを含み、シリンジポンプ１００全体の動作を制御する。制御部１２４は、操作入力部１３１から入力された情報に基づいて各種の処理を実行し、各種の処理の実行に伴う情報を表示部１３２及び音出力部１３３から出力する。制御部１２４が実行する機能の詳細については後述する。
【００５９】
操作入力部１３１は、図３及び図４に示すように、各種の操作ボタンが配置された入力インターフェースとしての操作パネルで構成され、操作者による入力操作を受け付ける。操作入力部１３１としての操作パネルに配置される操作ボタンは、シリンジポンプ１００の動作電源のオンオフを切り替えるための電源ボタン、送液を開始するための開始ボタン、送液を停止するための停止ボタン等を含む。操作入力部１３１は、表示部１３２と一体的に設けられるタッチパネル、キーボード、又はマウス等の入力インターフェースを含んで構成されていてもよい。操作入力部１３１は、入力された情報を、制御部１２４に出力する。
【００６０】
表示部１３２は、図３及び図４に示すように、例えば液晶ディスプレイ又は有機ＥＬディスプレイなどの表示デバイスを含む。表示部１３２は、制御部１２４からの信号に基づいて、送液される液体の流量の設定値や実測値、送液される液体の投与量の設定値や実測値、及び各種の警報情報等を表示する。
【００６１】
音出力部１３３は、例えばスピーカを含み、制御部１２４からの信号に基づいて、各種の警報情報等を音や音声により報知する。
【００６２】
載置検出部１３４は、図３及び図４に示すように、例えば載置部１１１に取り付けられ、載置部１１１にシリンジ２００の外筒２０１が載置されていることを検出するセンサである。載置検出部１３４は、検出した情報を、制御部１２４に出力する。
【００６３】
外筒固定検出部１３５は、図３及び図４に示すように、例えばシリンジ用クランプ１１４に取り付けられ、シリンジ２００の外筒２０１がシリンジ用クランプ１１４により固定されていることを検出するセンサである。
【００６４】
スライダ駆動部１３６は、例えばモータを含み、制御部１２４からの信号に基づいて、スライダ１１２を延在方向Ａ（図４参照）に沿って移動させる。
【００６５】
押子固定検出部１３７は、図３及び図４に示すように、例えばスライダ１１２に取り付けられ、シリンジ２００の押子２０５が押子固定部１１３によりスライダ１１２に固定されていることを検出するセンサである。押子固定検出部１３７は、例えば、自然状態でスライダ１１２の表面から一部が突出し、スライダ１１２に向かって押し込み可能なスイッチを含み、押子２０５が押子固定部１１３によりスライダ１１２に固定されると、スイッチが押子２０５によりスライダ１１２に向かって押し込まれることで、押子２０５の固定を検出する。押子固定検出部１３７は、検出した情報を、制御部１２４に出力する。
【００６６】
チューブ用クランプ１３８は、図３及び図４に示すように、例えばチューブガイド部１１６の位置に取り付けられ、チューブ２１０を挟み込むことが可能である。具体的に、チューブ用クランプ１３８は、制御部１２４からの信号に基づいて、チューブガイド部１１６を通過したチューブ２１０により区画された流路２１１を開放する開状態と、流路２１１を閉鎖する閉状態とを切替可能に構成されている。換言すれば、チューブ用クランプ１３８は、閉状態では、チューブ２１０の流路２１１を閉鎖してシリンジ２００からの送液を停止する送液停止部となる。
【００６７】
リーダ１３９は、シリンジ２００に貼り付けられた通信器２５０の通信部２５１と、例えばＮＦＣのような、到達距離の短い無線通信によって通信を行う。
【００６８】
リーダ１３９は、シリンジ２００がシリンジポンプ１００に載置されると、通信器２５０に対してデータセットの送信要求を送信する。リーダ１３９は、リーダ１３９からの送信要求に応答して通信器２５０から送信されるデータセットを受信し、データセットに含まれている薬剤特定情報を読み取ることができる。
【００６９】
制御部１２４は、シリンジポンプ１００にシリンジ２００が載置されると、リーダ１３９を制御して、通信器２５０に対するデータセットの送信要求を送信させる。
【００７０】
制御部１２４は、載置検出部１３４が載置部１１１にシリンジ２００の外筒２０１が載置されていることを検出すると、リーダ１３９に、通信器２５０に対するデータセットの送信要求を送信させる。
【００７１】
または、制御部１２４は、外筒固定検出部１３５が、シリンジ２００の外筒２０１がシリンジ用クランプ１１４により固定されたことを検出すると、リーダ１３９に、通信器２５０に対するデータセットの送信要求を送信させてもよい。
【００７２】
または、制御部１２４は、押子固定検出部１３７が、シリンジ２００の押子２０５がスライダ１１２に固定されたことを検出すると、リーダ１３９に、通信器２５０に対するデータセットの送信要求を送信させてもよい。
【００７３】
制御部１２４は、シリンジ２００に貼り付けられた通信器２５０から薬剤特定情報を読み取ると、当該薬剤特定情報と、サーバ３００から受信した指示オーダに含まれる薬剤特定情報とを照合する。以後、制御部１２４がシリンジ２００に貼り付けられた通信器２５０から読み取った薬剤特定情報を「第１薬剤特定情報」とも称する。また、以後、制御部１２４がサーバ３００から受信した指示オーダに含まれる薬剤特定情報を「第２薬剤特定情報」とも称する。
【００７４】
制御部１２４は、第１薬剤特定情報と第２薬剤特定情報とを照合した結果、第１薬剤特定情報と第２薬剤特定情報とが一致していた場合、指示オーダに第２薬剤特定情報と紐付けて含まれていた薬剤情報を読み込む。制御部１２４は、読み込んだ薬剤情報に基づいて、薬剤の投与速度、及び投与速度の上限値／下限値などの薬剤の投与に関する情報を設定する。これにより、シリンジポンプ１００は、載置されているシリンジ２００に収容されている薬剤が、指示オーダに基づく薬剤と一致していた場合、看護師１０による入力操作を必要とせず自動的に薬剤情報を読み込むことができる。
【００７５】
制御部１２４は、第１薬剤特定情報と第２薬剤特定情報とを照合した結果、第１薬剤特定情報と第２薬剤特定情報とが一致していた場合、その旨を表示部１３２に表示させてよい。これにより、看護師１０は、載置されているシリンジ２００に収容されている薬剤が、指示オーダに基づく薬剤と一致していることを確認した上で、送液を開始させるための操作を行うことができる。
【００７６】
制御部１２４は、第１薬剤特定情報と第２薬剤特定情報とを照合した結果、第１薬剤特定情報と第２薬剤特定情報とが一致していない場合、例えば、表示部１３２に警告メッセージを表示させることにより、警告を報知してよい。または、制御部１２４は、第１薬剤特定情報と第２薬剤特定情報とを照合した結果、第１薬剤特定情報と第２薬剤特定情報とが一致していない場合、例えば、音出力部１３３に警告音を出力させることにより、警告を報知してよい。これにより、シリンジポンプ１００は、指示オーダによって指示されていない薬剤を収容するシリンジ２００が載置された状態で、看護師１０が送液を開始することを抑制することができる。
【００７７】
制御部１２４は、第１薬剤特定情報と第２薬剤特定情報とを照合した結果、第１薬剤特定情報と第２薬剤特定情報とが一致していない場合、警告の報知に加えて、チューブ用クランプ１３８によりチューブ２１０の流路２１１を閉鎖させることで送液を停止させてもよい。これにより、これにより、シリンジポンプ１００は、指示オーダによって指示されていない薬剤を収容するシリンジ２００が載置された状態で、看護師１０が送液を開始することをより確実に抑制することができる。
【００７８】
通信器２５０がメモリ２５２に記憶しているデータセットは、薬剤特定情報に加えて、オーダ番号を含んでいてよい。この場合、制御部１２４は、シリンジ２００に貼り付けられた通信器２５０から、薬剤特定情報に合わせて、オーダ番号も読み取ってよい。制御部１２４は、第１薬剤特定情報と第２薬剤特定情報とを照合するとともに、シリンジ２００に貼り付けられた通信器２５０から読み取ったオーダ番号と、サーバ３００から受信した指示オーダに含まれるオーダ番号とも合わせて照合してよい。以後、制御部１２４がシリンジ２００に貼り付けられた通信器２５０から読み取ったオーダ番号を「第１オーダ番号」とも称する。また、以後、制御部１２４がサーバ３００から受信した指示オーダに含まれるオーダ番号を「第２オーダ番号」とも称する。
【００７９】
このように、制御部１２４が、第１薬剤特定情報と第２薬剤特定情報とを照合する際、これに合わせて、第１オーダ番号と第２オーダ番号との照合も行うことにより、シリンジポンプ１００は、例えば薬剤特定情報は同一であるが別の患者２０のために用意されたシリンジ２００が載置された状態で、看護師１０が送液を開始することを抑制することができる。
【００８０】
図８に示すシーケンス図を参照して、第１実施形態としてのシリンジポンプシステム１が行う処理の一例について説明する。図８に示すシーケンス図においては、シリンジポンプ１００は、薬剤特定情報とオーダ番号の両方について照合を行うものとして説明する。
【００８１】
第２電子機器６００は、医師から指示オーダの入力を受け付けると、入力された指示オーダをサーバ３００に送信する（ステップＳ１０１）。サーバ３００は、受信した指示オーダを記憶している。図９に、指示オーダの一例として、指示オーダ７１０を示す。図９に示す指示オーダ７１０は、患者ＩＤと、オーダ番号と、薬剤特定情報と、薬剤情報とを含む。指示オーダ７１０において、薬剤情報は、薬剤特定情報に紐付けられている。
【００８２】
スキャナ４００は、患者２０にシリンジポンプ１００で薬剤を送液するための準備段階で、看護師１０の操作によって、患者２０が手首に巻いているリストバンドに貼り付けられているバーコードを読み取ることなどにより、患者２０から患者ＩＤを読み取る。また、スキャナ４００は、看護師１０の操作によって、患者２０に薬剤を送液するシリンジポンプ１００の筐体に貼り付けられているバーコードを読み取ることなどにより、シリンジポンプ１００からポンプＩＤを読み取る。また、スキャナ４００は、看護師１０の操作によって、看護師１０が身につけているネームプレートに貼り付けられているバーコードを読み取ることなどにより、看護師１０から看護師ＩＤを読み取る。第１電子機器５００は、スキャナ４００から患者ＩＤ、ポンプＩＤ及び看護師ＩＤを取得し、サーバ３００に送信する（ステップＳ１０２）。
【００８３】
サーバ３００は、第１電子機器５００から受信した患者ＩＤに基づいて、当該患者ＩＤに対応する指示オーダを検索する（ステップＳ１０３）。
【００８４】
サーバ３００は、第１電子機器５００から取得した患者ＩＤを含む指示オーダを検索し、当該指示オーダを特定すると、当該指示オーダを、第１電子機器５００から取得したポンプＩＤによって特定されるシリンジポンプ１００に送信する（ステップＳ１０４）。
【００８５】
サーバ３００は、第１電子機器５００から取得した看護師ＩＤを、シリンジポンプ１００に送信した指示オーダと紐付けて保存する（ステップＳ１０５）。
【００８６】
一方、シリンジポンプ１００は、シリンジ２００がシリンジポンプ１００に載置されると、シリンジ２００に貼り付けられた通信器２５０から第１薬剤特定情報及び第１オーダ番号を読み取る（ステップＳ１０６）。
【００８７】
シリンジポンプ１００は、シリンジ２００から読み取った第１薬剤特定情報と、サーバ３００から受信した指示オーダに含まれる第２薬剤特定情報とを照合する（ステップＳ１０７）。
【００８８】
シリンジポンプ１００は、シリンジ２００から読み取った第１オーダ番号と、サーバ３００から受信した指示オーダに含まれる第２オーダ番号とを照合する（ステップＳ１０８）。
【００８９】
シリンジポンプ１００は、第１薬剤特定情報と第２薬剤特定情報とが一致し、且つ、第１オーダ番号と第２オーダ番号とが一致していた場合、指示オーダに薬剤特定情報と紐付けて含まれていた薬剤情報を読み込む（ステップＳ１０９）。
【００９０】
このように、本実施形態に係るシリンジポンプシステム１によれば、サーバ３００は、患者ＩＤとポンプＩＤとを取得し、患者ＩＤに基づいて検索した指示オーダを、ポンプＩＤによって特定されるシリンジポンプ１００に送信する。そして、シリンジポンプ１００は、シリンジポンプ１００に載置されたシリンジ２００から第１薬剤特定情報を読み取り、指示オーダに含まれる第２薬剤特定情報と第１薬剤特定情報とを照合する。これにより、本実施形態に係るシリンジポンプ１００は、指示オーダによって指示された薬剤特定情報に対応する薬剤を収容するシリンジ２００がシリンジポンプ１００に載置されていることを確認することができる。従って、本実施形態に係るシリンジポンプシステム１は、シリンジポンプ１００にシリンジ２００を取り違えて載置することを抑制することができる。
【００９１】
また、本実施形態に係るシリンジポンプシステム１によれば、シリンジポンプ１００は、第２薬剤特定情報と第１薬剤特定情報とが一致すると、指示オーダに第２薬剤特定情報と紐付けて含まれている薬剤情報を読み込む。これにより、本実施形態に係るシリンジポンプ１００は、看護師１０が薬剤情報を手動でシリンジポンプ１００に入力しなくても、自動で薬剤情報を読み込むことができる。従って、本実施形態に係るシリンジポンプシステム１は、シリンジポンプ１００の送液処理における看護師１０の操作手順を簡略化することができる。
【００９２】
（第２実施形態）
図１０は、本開示の第２実施形態としてのシリンジポンプシステム２の概略構成図である。シリンジポンプシステム２は、シリンジポンプ１００Ａと、シリンジポンプ１００Ｂと、シリンジ２００Ａと、シリンジ２００Ｂと、サーバ３００と、スキャナ４００と、第１電子機器５００と、第２電子機器６００とを備える。
【００９３】
第２実施形態に係るシリンジポンプシステム２は、シリンジポンプ１００Ａ及びシリンジポンプ１００Ｂの２つのシリンジポンプを備え、また、シリンジ２００Ａ及びシリンジ２００Ｂの２つのシリンジを備える点で、第１実施形態に係るシリンジポンプシステム１と相違する。第２実施形態に係るシリンジポンプシステム２は、２つのシリンジポンプ及び２つのシリンジを備える構成に限定されず、３つ以上のシリンジポンプ及び３つ以上のシリンジを備えていてもよい。
【００９４】
第２実施形態に係るシリンジポンプシステム２については、第１実施形態に係るシリンジポンプシステム１との相違点について主に説明し、第１実施形態に係るシリンジポンプシステム１との共通点及び類似する点については、適宜説明を省略する。
【００９５】
図１１に示すシーケンス図を参照して、第２実施形態としてのシリンジポンプシステム２が行う処理の一例について説明する。図１１に示すシーケンス図においては、シリンジポンプ１００Ａ及びシリンジポンプ１００Ｂは、薬剤特定情報とオーダ番号の両方について照合を行うものとして説明する。
【００９６】
第２電子機器６００は、医師から指示オーダの入力を受け付けると、入力された指示オーダをサーバ３００に送信する（ステップＳ２０１）。サーバ３００は、受信した指示オーダを記憶している。図１２に、指示オーダの一例として、指示オーダ７２０を示す。図１２に示す指示オーダ７２０は、患者ＩＤと、オーダ番号と、複数の薬剤特定情報である薬剤特定情報Ａ及びＢと、複数の薬剤情報である薬剤情報Ａ及びＢとを含む。指示オーダ７２０において、薬剤情報Ａは、薬剤特定情報Ａに紐付けられている。また、薬剤情報Ｂは、薬剤特定情報Ｂに紐付けられている。
【００９７】
スキャナ４００は、患者２０にシリンジポンプ１００Ａ及びシリンジポンプ１００Ｂで薬剤を送液するための準備段階で、看護師１０の操作によって、患者２０が手首に巻いているリストバンドに貼り付けられているバーコードを読み取ることなどにより、患者２０から患者ＩＤを読み取る。また、スキャナ４００は、看護師１０の操作によって、患者２０に薬剤を送液するシリンジポンプ１００Ａ及びシリンジポンプ１００Ｂの筐体に貼り付けられているバーコードを読み取ることなどにより、シリンジポンプ１００Ａ及びシリンジポンプ１００ＢからポンプＩＤを読み取る。また、スキャナ４００は、看護師１０の操作によって、看護師１０が身につけているネームプレートに貼り付けられているバーコードを読み取ることなどにより、看護師１０から看護師ＩＤを読み取る。第１電子機器５００は、スキャナ４００から患者ＩＤと、シリンジポンプ１００ＡのポンプＩＤ及びシリンジポンプ１００ＢのポンプＩＤからなる複数のポンプＩＤと、看護師ＩＤとを取得し、サーバ３００に送信する（ステップＳ２０２）。
【００９８】
サーバ３００は、第１電子機器５００から受信した患者ＩＤに基づいて、当該患者ＩＤに対応する指示オーダを検索する（ステップＳ２０３）。
【００９９】
サーバ３００は、第１電子機器５００から取得した患者ＩＤを含む指示オーダを検索し、当該指示オーダを特定すると、当該指示オーダを、第１電子機器５００から取得した複数のポンプＩＤによって特定されるシリンジポンプ１００Ａ及びシリンジポンプ１００Ｂのそれぞれに送信する（ステップＳ２０４Ａ及びＳ２０４Ｂ）。
【０１００】
サーバ３００は、第１電子機器５００から取得した看護師ＩＤを、シリンジポンプ１００Ａ及びシリンジポンプ１００Ｂに送信した指示オーダと紐付けて保存する（ステップＳ２０５）。
【０１０１】
一方、シリンジポンプ１００Ａは、シリンジ２００Ａがシリンジポンプ１００Ａに載置されると、シリンジ２００Ａに貼り付けられた通信器２５０から第１薬剤特定情報及び第１オーダ番号を読み取る（ステップＳ２０６Ａ）。
【０１０２】
シリンジポンプ１００Ａは、シリンジ２００Ａから読み取った第１薬剤特定情報と、サーバ３００から受信した指示オーダに含まれる複数の第２薬剤特定情報とを照合する（ステップＳ２０７Ａ）。
【０１０３】
シリンジポンプ１００Ａは、シリンジ２００から読み取った第１オーダ番号と、サーバ３００から受信した指示オーダに含まれる第２オーダ番号とを照合する（ステップＳ２０８Ａ）。
【０１０４】
シリンジポンプ１００Ａは、第１オーダ番号と第２オーダ番号とが一致していた場合、複数の第２薬剤特定情報のうち第１薬剤特定情報と一致する第２薬剤特定情報と紐付けて指示オーダに含まれていた薬剤情報を読み込む。例えば、シリンジ２００Ａから読み取った薬剤特定情報が「薬剤特定情報Ａ」である場合、シリンジポンプ１００Ａは、指示オーダ７２０に「薬剤特定情報Ａ」に紐付けて含まれている「薬剤情報Ａ」を読み込む（ステップＳ２０９Ａ）。
【０１０５】
シリンジポンプ１００ＢによるステップＳ２０６Ｂ〜ステップＳ２０９Ｂの処理は、シリンジポンプ１００ＡによるステップＳ２０６Ａ〜ステップＳ２０９Ａの処理と同様であるため説明を省略する。
【０１０６】
このように、本実施形態に係るシリンジポンプシステム２によれば、サーバ３００は、複数のポンプＩＤを取得すると、複数のポンプＩＤによって特定される複数のシリンジポンプ１００Ａ及び１００Ｂのそれぞれに指示オーダを送信する。また、シリンジポンプ１００Ａ及びシリンジポンプ１００Ｂは、複数の第２薬剤特定情報のうちの第１薬剤特定情報と一致した第２薬剤特定情報と紐付けて指示オーダに含まれている薬剤情報を読み込む。これにより、本実施形態に係るシリンジポンプシステム２は、複数のシリンジポンプ１００Ａ及び１００Ｂを使用する場合であっても、シリンジ２００Ａ及び２００Ｂを取り違えて載置することを抑制することができる。
【０１０７】
本発明は、上述した各実施形態で特定された構成に限定されず、特許請求の範囲に記載した発明の要旨を逸脱しない範囲内で種々の変形が可能である。例えば、各構成部、各ステップなどに含まれる機能などは論理的に矛盾しないように再配置可能であり、複数の構成部やステップなどを１つに組み合わせたり、或いは分割したりすることが可能である。
【０１０８】
また、本実施形態のスキャナ４００は、第１電子機器５００を介して、看護師ＩＤ、患者ＩＤ及びポンプＩＤをサーバ３００に送信する構成としたが、スキャナ４００が通信機能を有する場合、スキャナ４００が直接、看護師ＩＤ、患者ＩＤ及びポンプＩＤをサーバ３００に送信してもよい。
【０１０９】
また、本実施形態のスキャナ４００は、バーコードにより看護師ＩＤ、患者ＩＤ及びポンプＩＤを読み取るものとして説明したが、スキャナ４００は、ＲＦタグにより看護師ＩＤ、患者ＩＤ及びポンプＩＤを読み取ってもよい。
【０１１０】
また、本実施形態のシリンジポンプ１００は、シリンジ２００に貼り付けられているＲＦタグなどから薬剤特定情報及びオーダ番号を読み取るものとして説明したが、シリンジポンプ１００は、シリンジ２００に貼り付けられているバーコードから薬剤特定情報及びオーダ番号を読み取ってもよい。
【０１１１】
また、本実施形態のシリンジポンプ１００は、指示オーダに含まれる薬剤情報を読み込むものとして説明したが、シリンジポンプ１００の記憶部１２３が薬剤情報の一部又は全てを記憶していてもよい。この場合、シリンジポンプ１００は、指示オーダに含まれる薬剤特定情報と紐付いて記憶されている薬剤情報を記憶部１２３から読み込んで、薬剤の投与に関する情報を設定してよい。
【０１１２】
また、本実施形態のシリンジポンプ１００では、送液停止部としてチューブ用クランプ１３８を用いる構成としたが、シリンジ２００からの送液を停止させることができ得る限り、他の手段を用いる構成としてもよい。
【産業上の利用可能性】
【０１１３】
本開示は、シリンジポンプシステム及びシリンジポンプに関する。
【符号の説明】
【０１１４】
１、２：シリンジポンプシステム
１０：看護師
２０：患者
１００、１００Ａ、１００Ｂ：シリンジポンプ
１１１：載置部
１１２：スライダ
１１３：押子固定部
１１４：シリンジ用クランプ
１１５：スリット
１１６：チューブガイド部
１２０：回路部
１２１：通信部
１２２：計時部
１２３：記憶部
１２４：制御部
１３１：操作入力部
１３２：表示部
１３３：音出力部
１３４：載置検出部
１３５：外筒固定検出部
１３６：スライダ駆動部
１３７：押子固定検出部
１３８：チューブ用クランプ（送液停止部）
１３９：リーダ
２００、２００Ａ、２００Ｂ：シリンジ
２０１：外筒
２０２：中空部
２０３：外筒フランジ
２０４：出口孔
２０５：押子
２０６：押子フランジ
２１０：チューブ
２１１：流路
２５０：通信器
２５１：通信部
２５２：メモリ
３００：サーバ
３０１：通信部
３０２：記憶部
３０３：制御部
４００：スキャナ
５００：第１電子機器
６００：第２電子機器
７１０、７２０：指示オーダ
Ａ：載置されたシリンジの外筒の延在方向
Ｂ：シリンジ用クランプの移動可能方向
【図１】
2019187689.tif 000003
【図２】
2019187689.tif 000004
【図３】
2019187689.tif 000005
【図４】
2019187689.tif 000006
【図５】
2019187689.tif 000007
【図６】
2019187689.tif 000008
【図７】
2019187689.tif 000009
【図８】
2019187689.tif 000010
【図９】
2019187689.tif 000011
【図１０】
2019187689.tif 000012
【図１１】
2019187689.tif 000013
【図１２】
2019187689.tif 000014
【国際調査報告】
2019187689.tif 000015
2019187689.tif 000016
2019187689.tif 000017
2019187689.tif 000018